(57)【要約】【課題】省エネルギー性の向上と居住域の空気質を良好に保つことの両立を図ることが可能な空気調和システムを提供する。【解決手段】空気調和システムは、天井に設けられた天井チャンバー及び床下に設けられた床下チャンバーと連通する部屋を空気調和する。空気調和システムは、部屋の空気中の汚染物質の濃度を検出する濃度検出センサーの検出濃度が規定濃度よりも高い状態では、空気調和機の吹出口と天井チャンバーとが接続され、空気調和機の吸込口と床下チャンバーとが接続される第１接続状態となる。また、空気調和システムは、濃度検出センサーの検出濃度が規定濃度以下の状態では、空気調和機の吸込口と天井チャンバーとが接続され、空気調和機の吹出口と床下チャンバーとが接続される第２接続状態となる。【選択図】図１
2019128084.tif 000002
【特許請求の範囲】
【請求項１】
天井に設けられた天井チャンバー及び床下に設けられた床下チャンバーと連通する部屋を空気調和する空気調和システムであって、
第１吸込口、該第１吸込口から吸い込まれた空気が通過するフィルター、及び該フィルターを通過した空気が吹き出される第１吹出口を有する空気調和機と、
前記第１吹出口と前記天井チャンバーとが接続され、前記第１吸込口と前記床下チャンバーとが接続される第１接続状態、あるいは、前記第１吸込口と前記天井チャンバーとが接続され、前記第１吹出口と前記床下チャンバーとが接続される第２接続状態になる第１切替装置と、
前記第１切替装置を前記第１接続状態又は前記第２接続状態に切り替える制御装置と、
前記部屋の空気中の汚染物質の濃度を検出する濃度検出センサーと、
を備え、
前記制御装置は、
前記濃度検出センサーの検出濃度が規定濃度よりも高い状態では、前記第１切替装置を前記第１接続状態とし、前記濃度検出センサーの検出濃度が前記規定濃度以下の状態では、前記第１切替装置を前記第２接続状態とする構成である空気調和システム。
【請求項２】
前記部屋に設けられる第１温度検出センサーと、
前記部屋において前記第１温度検出センサーよりも下方に設けられる第２温度検出センサーと、
を備え、
前記制御装置は、
前記第１温度検出センサーの検出温度から前記第２温度検出センサーの検出温度を減算した値である温度差が規定温度差以下の場合、前記濃度検出センサーの検出濃度が第１規定濃度よりも高い状態では、前記第１切替装置を前記第１接続状態とし、前記濃度検出センサーの検出濃度が前記第１規定濃度以下の状態では、前記第１切替装置を前記第２接続状態とする構成であり、
前記温度差が前記規定温度差よりも大きい場合、前記濃度検出センサーの検出濃度が前記第１規定濃度よりも大きい値である第２規定濃度よりも高い状態では、前記第１切替装置を前記第１接続状態とし、前記濃度検出センサーの検出濃度が前記第２規定濃度以下の状態では、前記第１切替装置を前記第２接続状態とする構成である請求項１に記載の空気調和システム。
【請求項３】
第２吹出口及び第２吸込口を有し、前記第２吸込口から前記部屋の空気を吸い込み、前記第２吹出口から外気を吹き出す換気装置と、
前記第２吹出口と前記天井チャンバーとが接続され、前記第２吸込口と前記床下チャンバーとが接続される第３接続状態、あるいは、前記第２吸込口と前記天井チャンバーとが接続され、前記第２吹出口と前記床下チャンバーとが接続される第４接続状態になる第２切替装置と、
を備え、
前記制御装置は、
前記第１切替装置が前記第１接続状態のときには、前記第２切替装置を前記第３接続状態とし、前記第１切替装置が前記第２接続状態のときには、前記第２切替装置を前記第４接続状態とする構成である請求項１又は請求項２に記載の空気調和システム。
【発明の詳細な説明】
【技術分野】
【０００１】
本発明は、天井に設けられた天井チャンバー及び床下に設けられた床下チャンバーと連通する部屋を空気調和する空気調和システムに関する。
【背景技術】
【０００２】
従来、天井チャンバー及び床下チャンバーと連通する部屋が存在する。詳しくは、天井チャンバーは、部屋の天井に設けられている。天井チャンバーは、部屋と連通する連通口を有する。天井チャンバーの連通口は、部屋の天面等、部屋の上部に開口している。また、床下チャンバーは、部屋の床下に設けられている。床下チャンバーもまた、部屋と連通する連通口を有する。床下チャンバーの連通口は、部屋の床面等、部屋の下部に開口している。
【０００３】
このような部屋を空気調和する従来の空気調和システムは、次のような構成となっている。例えば、従来の空気調和システムは、空気調和システムの吹出口が天井チャンバーと接続され、空気調和システムの吸込口が床下チャンバーと接続されている。このように構成された空気調和システムにおいては、空気調和機で加熱又は冷却された空調空気は、天井チャンバーの連通口から部屋内へ吹き出される。そして、部屋の空気は、床下チャンバーの連通口から床下チャンバーへ吸い込まれ、空気調和機へ戻る。
【０００４】
また、例えば、従来の空気調和システムは、空気調和システムの吹出口が床下チャンバーと接続され、空気調和システムの吸込口が天井チャンバーと接続されている（例えば、特許文献１参照）。このように構成された空気調和システムにおいては、空気調和機で加熱又は冷却された空調空気は、床下チャンバーの連通口から部屋内へ吹き出される。そして、部屋の空気は、天井チャンバーの連通口から天井チャンバーへ吸い込まれ、空気調和機へ戻る。
【先行技術文献】
【特許文献】
【０００５】
【特許文献１】特開２００７−１５５２２２号公報
【発明の概要】
【発明が解決しようとする課題】
【０００６】
床下チャンバーから部屋内へ空調空気を吹き出す空気調和システムは、部屋の居住域に重点的に空調空気を供給することができる。このため、床下チャンバーから部屋内へ空調空気を吹き出す空気調和システムは、天井チャンバーから部屋内へ空調空気を吹き出す空気調和システムと比べ、省エネルギー性を向上させることができる。
【０００７】
一方、部屋内の空気を汚染する汚染物は、部屋内の空気の密度差により、部屋内に拡散しやすい。この際、床下チャンバーから部屋内へ空調空気を吹き出す空気調和システムは、部屋の上部から、すなわち居住域から遠い箇所から部屋の空気を排出する構成となっている。このため、床下チャンバーから部屋内へ空調空気を吹き出す空気調和システムは、居住域の空気の排出が遅れ、居住域の空気質が悪化しやすい。これに対し、天井チャンバーから部屋内へ空調空気を吹き出す空気調和システムは、部屋の下部から部屋の空気を排出する構成となっている。換言すると、天井チャンバーから部屋内へ空調空気を吹き出す空気調和システムは、居住域に近い箇所から部屋の空気を排出する構成となっている。このため、天井チャンバーから部屋内へ空調空気を吹き出す空気調和システムは、早期に居住域の空気を排出することができ、居住域の空気質を良好に保つことができる。
【０００８】
このように、天井チャンバー及び床下チャンバーと連通する部屋を空気調和する従来の空気調和システムは、省エネルギー性の向上と居住域の空気質を良好に保つことの両立を図ることが難しいという課題があった。
【０００９】
本発明は、上述の課題を解決するためになされたものであり、天井チャンバー及び床下チャンバーと連通する部屋を空気調和する空気調和システムであって、省エネルギー性の向上と居住域の空気質を良好に保つことの両立を図ることが可能な空気調和システムを提供することを目的とする。
【課題を解決するための手段】
【００１０】
本発明に係る空気調和システムは、天井に設けられた天井チャンバー及び床下に設けられた床下チャンバーと連通する部屋を空気調和する空気調和システムであって、第１吸込口、該第１吸込口から吸い込まれた空気が通過するフィルター、及び該フィルターを通過した空気が吹き出される第１吹出口を有する空気調和機と、前記第１吹出口と前記天井チャンバーとが接続され、前記第１吸込口と前記床下チャンバーとが接続される第１接続状態、あるいは、前記第１吸込口と前記天井チャンバーとが接続され、前記第１吹出口と前記床下チャンバーとが接続される第２接続状態になる第１切替装置と、前記第１切替装置を前記第１接続状態又は前記第２接続状態に切り替える制御装置と、前記部屋の空気中の汚染物質の濃度を検出する濃度検出センサーと、を備え、前記制御装置は、前記濃度検出センサーの検出濃度が規定濃度よりも高い状態では、前記第１切替装置を前記第１接続状態とし、前記濃度検出センサーの検出濃度が前記規定濃度以下の状態では、前記第１切替装置を前記第２接続状態とする構成となっている。
【発明の効果】
【００１１】
本発明に係る空気調和システムは、濃度検出センサーの検出濃度が規定濃度よりも高い状態では、天井チャンバーから部屋内へ空調空気を吹き出し、床下チャンバーから部屋の空気を排出することとなる。このため、本発明に係る空気調和システムは、居住域の空気質を良好に保つことができる。また、本発明に係る空気調和システムは、濃度検出センサーの検出濃度が規定濃度以下の状態では、床下チャンバーから部屋内へ空調空気を吹き出し、天井チャンバーから部屋の空気を排出することとなる。このため、本発明に係る空気調和システムは、省エネルギー性を向上することもできる。
【図面の簡単な説明】
【００１２】
【図１】本発明の実施の形態に係る空気調和システムを示す図である。
【図２】本発明の実施の形態に係る空気調和システムが備える空気調和機の冷媒回路図である。
【図３】本発明の実施の形態に係る空気調和システムの運転動作を説明するための図である。
【図４】本発明の実施の形態に係る空気調和システムの運転動作を説明するための図である。
【図５】本発明の実施の形態に係る空気調和システムの規定温度差、第１規定濃度及び第２規定濃度の一例を示す図である。
【図６】本発明の実施の形態に係る空気調和システムに図５で示す規定温度差、第１規定濃度及び第２規定濃度を採用した場合の、部屋の環境と運転モードとの関係を説明する図である。
【図７】本発明の実施の形態に係る空気調和システムの制御フローの一例を示すフローチャート図である。
【図８】本発明の実施の形態に係る空気調和システムの制御フローの別の一例を示すフローチャート図である。
【発明を実施するための形態】
【００１３】
以下、本発明の実施の形態について、図面を用いて詳細に説明する。なお、本実施の形態で説明する各種具体的な構成は、あくまで本発明の一例である。本発明は、本実施の形態で説明する各種具体的な構成に限定されない。
【００１４】
実施の形態．
図１は、本発明の実施の形態に係る空気調和システムを示す図である。また、図２は、本発明の実施の形態に係る空気調和システムが備える空気調和機の冷媒回路図である。なお、図１では、空気調和機１０として、空気調和機１０の室内機１１を示し、室外機１２の図示を省略している。
【００１５】
まず、本実施の形態に係る空気調和システム１が空気調和する部屋１００について説明する。図１に示すように、空調対象空間である部屋１００は、天井チャンバー１０１及び床下チャンバー１０５と連通している。詳しくは、天井チャンバー１０１は、部屋１００の天井に設けられている。天井チャンバー１０１は、部屋１００と連通する連通口１０２を有する。天井チャンバー１０１の連通口１０２は、部屋１００の天面１０３に開口している。なお、連通口１０２は、部屋１００の側壁の上部等、部屋１００の上部に開口していればよい。床下チャンバー１０５は、部屋１００の床下に設けられている。床下チャンバー１０５は、部屋１００と連通する連通口１０６を有する。床下チャンバー１０５の連通口１０６は、部屋の床面１０７に開口している。なお、連通口１０６は、部屋１００の側壁の下部等、部屋１００の下部に開口していればよい。
【００１６】
上述のように構成されえた部屋１００を空気調和する空気調和システム１は、空気調和機１０、換気装置３０、第１切替装置の一例である切替装置４１、及び第２切替装置の一例である切替装置５１等を備えている。
【００１７】
図２に示すように、空気調和機１０は、圧縮機１３、室内熱交換器１４、膨張装置１５、及び室外熱交換器１６を備えている。また、本実施の形態に係る空気調和機１０は、冷房運転及び暖房運転の双方を可能とするため、圧縮機１３の吐出口及び吸込口の接続先を切り替える流路切替装置１７を備えている。圧縮機１３、室内熱交換器１４、膨張装置１５、室外熱交換器１６及び流路切替装置１７が冷媒配管で接続されて、冷媒回路が構成されている。
【００１８】
圧縮機１３は、蒸発器から流出した低温低圧のガス状冷媒を圧縮し、高温高圧のガス状冷媒にするものである。この高温高圧のガス状冷媒は、凝縮器に流入する。流路切替装置１７は、圧縮機１３の吐出口及び吸込口の接続先を切り替え、以下の第１流路又は第２流路にするものである。第１流路は、暖房運転時に選択される流路であり、圧縮機１３の吐出口と室内熱交換器１４とが接続され、圧縮機１３の吸入口と室外熱交換器１６とが接続される流路である。流路切替装置１７が第１流路になっている場合、室内熱交換器１４が凝縮器として機能し、室外熱交換器１６が蒸発器として機能する。第２流路は、冷房運転時に選択される流路であり、圧縮機１３の吐出口と室外熱交換器１６とが接続され、圧縮機１３の吸入口と室内熱交換器１４とが接続される流路である。流路切替装置１７が第２流路になっている場合、室外熱交換器１６が凝縮器として機能し、室内熱交換器１４が蒸発器として機能する。なお、本実施の形態では流路切替装置１７として四方弁を用いているが、流路切替装置１７は四方弁に限定されない。例えば、複数の二方弁を用いて流路切替装置１７を構成してもよい。
【００１９】
室内熱交換器１４は、暖房運転時には凝縮器として機能し、冷房運転時には蒸発器として機能するものである。この室内熱交換器１４の近傍には、室内ファン１８が設けられている。室内ファン１８が駆動することにより、後述のように、部屋１００内に存在していた空気が室内熱交換器１４に供給される。そして、室内熱交換器１４が凝縮器として機能する際、室内ファン１８から供給された空気は、室内熱交換器１４内を流れる冷媒によって加熱される。そして、この加熱された空気は、後述のように、部屋１００に戻される。一方、室内熱交換器１４が蒸発器として機能する際、室内ファン１８から供給された空気は、室内熱交換器１４内を流れる冷媒によって冷却される。そして、この冷却された空気は、後述のように、部屋１００に戻される。
【００２０】
膨張装置１５は、凝縮器から流出した低温高圧の液状冷媒を膨張させ、低温低圧の気液二相冷媒にするものである。この低温低圧の気液二相冷媒は、蒸発器に流入する。膨張装置１５は、例えば膨張弁である。室外熱交換器１６は、暖房運転時には蒸発器として機能し、冷房運転時には凝縮器として機能するものである。この室外熱交換器１６の近傍には、室外ファン１９が設けられている。室外ファン１９が駆動することにより、例えば外気が室外熱交換器１６に供給される。そして、室外ファン１９から供給された外気は、室外熱交換器１６内を流れる冷媒と熱交換する。
【００２１】
上述した空気調和機１０の構成要素は、室内機１１又は室外機１２に収納されている。本実施の形態の場合、室内機１１には、室内熱交換器１４及び室内ファン１８が収納されている。また、図１に示すように、室内機１１には、フィルター２０も収納されている。また、室外機１２には、圧縮機１３、膨張装置１５、室外熱交換器１６、流路切替装置１７及び室外ファン１９が収納されている。
【００２２】
再び図１に着目すると、空気調和機１０の室内機１１は、第１吸込口である吸込口２１と、第１吹出口である吹出口２２とを有している。吸込口２１は、切替装置４１を介して、天井チャンバー１０１及び床下チャンバー１０５のうちの一方と接続される。また、吹出口２２は、切替装置４１を介して、天井チャンバー１０１及び床下チャンバー１０５のうちの他方と接続される。すなわち、室内ファン１８が駆動すると、天井チャンバー１０１及び床下チャンバー１０５のうちの一方を介して、部屋１００内の空気が吸込口２１から室内機１１に吸い込まれる。そして、吸込口２１から吸い込まれた空気は、フィルター２０を通過する。この際、空気中の粒子状物質は、フィルター２０によって捕捉される。また、フィルター２０を通過した空気は、室内熱交換器１４を通る冷媒と熱交換して空調空気となる。この空調空気は、吹出口２２から室内機１１外へ吹き出され、天井チャンバー１０１及び床下チャンバー１０５のうちの他方を介して部屋１００内へ供給される。
【００２３】
切替装置４１は、第１接続状態又は第２接続状態になるものである。第１接続状態とは、吹出口２２と天井チャンバー１０１とが接続され、吸込口２１と床下チャンバー１０５とが接続される状態である。第２接続状態とは、吸込口２１と天井チャンバー１０１とが接続され、吹出口２２と床下チャンバー１０５とが接続される状態である。本実施の形態では、切替装置４１として、四方弁を用いている。詳しくは、四方弁は、配管４２で吹出口２２と接続され、配管４３で吸込口２１と接続され、配管４４で天井チャンバー１０１と接続され、配管４５で床下チャンバー１０５と接続されている。
【００２４】
このため、切替装置４１が第１状態になっている場合、吹出口２２は、配管４２、切替装置４１及び配管４４を介して、天井チャンバー１０１と接続される。すなわち、室内機１１の吹出口２２から吹き出された空調空気は、天井チャンバー１０１の連通口１０２から、部屋１００内へ吹き出される。また、切替装置４１が第１状態になっている場合、吸込口２１は、配管４３、切替装置４１及び配管４５を介して、床下チャンバー１０５と接続される。すなわち、部屋１００の空気は、床下チャンバー１０５の連通口１０６から床下チャンバー１０５へ排出され、室内機１１に吸い込まれる。
【００２５】
一方、切替装置４１が第２状態になっている場合、吹出口２２は、配管４２、切替装置４１及び配管４５を介して、床下チャンバー１０５と接続される。すなわち、室内機１１の吹出口２２から吹き出された空調空気は、床下チャンバー１０５の連通口１０６から、部屋１００内へ吹き出される。また、切替装置４１が第２状態になっている場合、吸込口２１は、配管４３、切替装置４１及び配管４４を介して、天井チャンバー１０１と接続される。すなわち、部屋１００の空気は、天井チャンバー１０１の連通口１０２から天井チャンバー１０１へ排出され、室内機１１に吸い込まれる。
【００２６】
なお、本実施の形態では切替装置４１として四方弁を用いているが、切替装置４１は四方弁に限定されない。切替装置４１は、上述の第１接続状態と第２接続状態とを切り替えられる構成であればよい。例えば、複数の二方弁を用いて切替装置４１を構成してもよい。
【００２７】
換気装置３０は、給気室３１及び排気室３２を備えている。給気室３１は、給気側吸入口３３と、第２吹出口である給気側吹出口３４とを備えている。この給気室３１には、給気ファン３７が収納されている。給気ファン３７が駆動することにより、給気側吸入口３３から給気室３１へ外気が吸入される。そして、給気室３１へ吸入された外気は、給気側吹出口３４から吹き出される。また、給気側吹出口３４は、切替装置５１を介して、天井チャンバー１０１及び床下チャンバー１０５のうちの一方と接続される。すなわち、給気ファン３７が駆動すると、天井チャンバー１０１及び床下チャンバー１０５のうちの一方を介して、外気が部屋１００内へ供給される。
【００２８】
排気室３２は、第２吸込口である排気側吸入口３５と、排気側吹出口３６とを備えている。この排気室３２には、排気ファン３８が収納されている。また、排気側吸入口３５は、切替装置５１を介して、天井チャンバー１０１及び床下チャンバー１０５のうちの他方と接続される。換言すると、排気側吸入口３５は、切替装置５１を介して、天井チャンバー１０１及び床下チャンバー１０５のうち、給気室３１の給気側吹出口３４が接続されていない方のチャンバーと接続される。すなわち、排気ファン３８が駆動すると、天井チャンバー１０１及び床下チャンバー１０５のうちの他方を介して、部屋１００の空気が排気側吸入口３５から排気室３２に吸い込まれる。そして、排気室３２に吸い込まれた空気は、排気側吹出口３６から排気室３２外へ排出される。
【００２９】
切替装置５１は、第３接続状態又は第４接続状態になるものである。第３接続状態とは、給気側吹出口３４と天井チャンバー１０１とが接続され、排気側吸入口３５と床下チャンバー１０５とが接続される状態である。第４接続状態とは、排気側吸入口３５と天井チャンバー１０１とが接続され、給気側吹出口３４と床下チャンバー１０５とが接続される状態である。本実施の形態では、切替装置５１として、四方弁を用いている。詳しくは、四方弁は、配管５２で給気側吹出口３４と接続され、配管５３で排気側吸入口３５と接続され、配管５４で天井チャンバー１０１と接続され、配管５５で床下チャンバー１０５と接続されている。
【００３０】
このため、切替装置５１が第３状態になっている場合、給気側吹出口３４は、配管５２、切替装置５１及び配管５４を介して、天井チャンバー１０１と接続される。すなわち、換気装置３０の給気側吹出口３４から吹き出された外気は、天井チャンバー１０１の連通口１０２から、部屋１００内へ吹き出される。また、切替装置５１が第３状態になっている場合、排気側吸入口３５は、配管５３、切替装置５１及び配管５５を介して、床下チャンバー１０５と接続される。すなわち、部屋１００の空気は、床下チャンバー１０５の連通口１０６から床下チャンバー１０５へ排出され、換気装置３０に吸い込まれる。
【００３１】
一方、切替装置５１が第４状態になっている場合、給気側吹出口３４は、配管５２、切替装置５１及び配管５５を介して、床下チャンバー１０５と接続される。すなわち、換気装置３０の給気側吹出口３４から吹き出された外気は、床下チャンバー１０５の連通口１０６から、部屋１００内へ吹き出される。また、切替装置５１が第４状態になっている場合、排気側吸入口３５は、配管５３、切替装置５１及び配管５４を介して、天井チャンバー１０１と接続される。すなわち、部屋１００の空気は、天井チャンバー１０１の連通口１０２から天井チャンバー１０１へ排出され、換気装置３０に吸い込まれる。
【００３２】
なお、本実施の形態では切替装置５１として四方弁を用いているが、切替装置５１は四方弁に限定されない。切替装置５１は、上述の第３接続状態と第４接続状態とを切り替えられる構成であればよい。例えば、複数の二方弁を用いて切替装置５１を構成してもよい。
【００３３】
ここで、切替装置５１は、切替装置４１が第１接続状態のときに、第３接続状態となる。すなわち、切替装置４１が第１状態となっており、切替装置５１が第３状態となっている場合、室内機１１の吹出口２２から吹き出された空調空気と換気装置３０の給気側吹出口３４から吹き出された外気とが、天井チャンバー１０１で混ざり合う。そして、空調空気と外気とが混ざり合った空気が、天井チャンバー１０１の連通口１０２から、部屋１００内へ吹き出される。また、切替装置４１が第１状態となっており、切替装置５１が第３状態となっている場合、床下チャンバー１０５の連通口１０６から床下チャンバー１０５へ排出された部屋１００の空気の一部は、室内機１１に戻って空調空気となり、再び部屋１００へ戻る。一方、床下チャンバー１０５の連通口１０６から床下チャンバー１０５へ排出された部屋１００の空気の残りの一部は、換気装置３０によって、部屋１００の外部へ排出される。
【００３４】
また、切替装置５１は、切替装置４１が第２接続状態のときに、第４接続状態となる。すなわち、切替装置４１が第２状態となっており、切替装置５１が第４状態となっている場合、室内機１１の吹出口２２から吹き出された空調空気と換気装置３０の給気側吹出口３４から吹き出された外気とが、床下チャンバー１０５で混ざり合う。そして、空調空気と外気とが混ざり合った空気が、床下チャンバー１０５の連通口１０６から、部屋１００内へ吹き出される。また、切替装置４１が第３状態となっており、切替装置５１が第４状態となっている場合、天井チャンバー１０１の連通口１０２から天井チャンバー１０１へ排出された部屋１００の空気の一部は、室内機１１に戻って空調空気となり、再び部屋１００へ戻る。一方、天井チャンバー１０１の連通口１０２から天井チャンバー１０１へ排出された部屋１００の空気の残りの一部は、換気装置３０によって、部屋１００の外部へ排出される。
【００３５】
なお、本実施の形態では切替装置４１と切替装置５１とを別体としているが、切替装置４１と切替装置５１とを一体にしてもよい。例えば、配管５２の一方の端部を換気装置３０の給気側吹出口３４に接続し、配管５２の他方の端部を配管４２に接続する。また、配管５３の一方の端部を換気装置３０の排気側吸入口３５に接続し、配管５３の他方の端部を配管４３に接続する。このように構成した場合、切替装置４１を切替装置５１として用いることができ、切替装置４１と切替装置５１とを一体にすることができる。
【００３６】
また、空気調和システム１は、複数の検出センサーと、これらの検出センサーの検出値に基づいて切替装置４１及び切替装置５１を制御する制御装置７０と、を備えている。
【００３７】
具体的には、空気調和システム１は、検出センサーとして、濃度検出センサー６０、第１温度検出センサー６１、及び第２温度検出センサー６２を備えている。濃度検出センサー６０は、部屋１００の空気質の判定に用いられるセンサーであり、部屋１００の空気中の汚染物質の濃度を検出するセンサーである。濃度検出センサー６０は、例えば居住域に設けられる。なお、居住域とは、部屋１００内において、人が活動することが多い領域である。居住域は、例えば、床面１０７から１８００ｍｍ以下で、かつ側壁から６００ｍｍ以上離れた領域である。本実施の形態では、濃度検出センサー６０は、部屋１００の空気中の二酸化炭素の濃度を検出している。
【００３８】
第１温度検出センサー６１及び第２温度検出センサー６２は、部屋１００の空気の温度を検出するセンサーである。第１温度検出センサー６１は、部屋１００の例えば上部に設けられる。第２温度検出センサーは、部屋１００の例えば下部等、部屋１００において第１温度検出センサー６１よりも下方に設けられる。
【００３９】
濃度検出センサー６０、第１温度検出センサー６１、及び第２温度検出センサー６２は、制御装置７０と電気的に接続されている。濃度検出センサー６０、第１温度検出センサー６１、及び第２温度検出センサー６２は、有線によって制御装置７０と接続されていてもよく、無線によって制御装置７０と接続されていてもよい。
【００４０】
制御装置７０は、専用のハードウェア、又はメモリに格納されるプログラムを実行するＣＰＵ（Ｃｅｎｔｒａｌ  Ｐｒｏｃｅｓｓｉｎｇ  Ｕｎｉｔ）で構成されている。なお、ＣＰＵは、中央処理装置、処理装置、演算装置、又はプロセッサともいう。
【００４１】
制御装置７０が専用のハードウェアである場合、制御装置７０は、例えば、単一回路、複合回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又はこれらを組み合わせたものが該当する。制御装置７０が実現する各機能部のそれぞれを、個別のハードウェアで実現してもよいし、各機能部を一つのハードウェアで実現してもよい。
【００４２】
制御装置７０がＣＰＵの場合、制御装置７０が実行する各機能は、ソフトウェア、ファームウェア、又はソフトウェアとファームウェアとの組み合わせにより実現される。ソフトウェア及びファームウェアはプログラムとして記述され、メモリに格納される。ＣＰＵは、メモリに格納されたプログラムを読み出して実行することにより、制御装置７０の各機能を実現する。ここで、メモリは、例えば、ＲＡＭ、ＲＯＭ、フラッシュメモリ、ＥＰＲＯＭ、又はＥＥＰＲＯＭ等の、不揮発性又は揮発性の半導体メモリである。
【００４３】
制御装置７０の機能の一部を専用のハードウェアで実現し、一部をソフトウェア又はファームウェアで実現するようにしてもよい。なお、制御装置７０の設置構成は任意である。空気調和機１０及び換気装置３０とは別個に制御装置７０を設置してもよいし、空気調和機１０又は換気装置３０に収納されていてもよい。また、制御装置７０は、複数に分割されて設置されていてもよい。この場合も、制御装置７０の分割された構成のそれぞれは、空気調和機１０及び換気装置３０とは別個に設置されてもよいし、空気調和機１０又は換気装置３０に収納されていてもよい。
【００４４】
本実施の形態に係る制御装置７０は、機能部として、比較部７１、記憶部７２及び制御部７３を備えている。比較部７１は、濃度検出センサー６０の検出濃度と閾値である規定濃度とを比較する機能部である。また、比較部７１は、第１温度検出センサー６１の検出温度から第２温度検出センサー６２の検出温度を減算した値である温度差を算出し、該温度差と閾値である規定温度差とを比較する機能部である。なお、以下では、第１温度検出センサー６１の検出温度から第２温度検出センサー６２の検出温度を減算した値である温度差を、上下温度差と称することとする。
【００４５】
記憶部７２は、センサー類の検出値との比較に用いられる閾値、及び、空気調和システム１の運転に必要な情報等を記憶する機能部である。すなわち、上述の規定濃度及び規定温度差は、記憶部７２に記憶されている。
【００４６】
制御部７３は、比較部７１の比較結果に基づいて、切替装置４１及び切替装置５１を制御する機能部である。すなわち、制御装置７０は、切替装置４１を第１接続状態又は第２接続状態に切り替え、切替装置５１を第３接続状態又は第４接続状態に切り替える機能部である。すなわち、切替装置４１及び切替装置５１は、電気的に制御装置７０と接続されている。この際、切替装置４１及び切替装置５１は、有線によって制御装置７０と接続されていてもよく、無線によって制御装置７０と接続されていてもよい。
【００４７】
続いて、本実施の形態に係る空気調和システム１の運転動作について説明する。
【００４８】
図３及び図４は、本発明の実施の形態に係る空気調和システムの運転動作を説明するための図である。なお、図３に示す部屋１００では、空気調和システム１により、天井チャンバー１０１の連通口１０２から部屋１００内へ空気が吹き出され、床下チャンバー１０５の連通口１０６から部屋１００の空気が排出されている。以下、図３に示す空気調和システム１の動作モードを、空気質優先モードと称することとする。また、図４に示す部屋１００では、空気調和システム１により、床下チャンバー１０５の連通口１０６から部屋１００内へ空気が吹き出され、天井チャンバー１０１の連通口１０２から部屋１００の空気が排出されている。以下、図４に示す空気調和システム１の動作モードを、省エネルギー優先モードと称することとする。
【００４９】
濃度検出センサー６０の検出濃度が規定濃度よりも高い状態は、部屋１００の居住域の空気質が悪化している状態である。このため、濃度検出センサー６０の検出濃度が規定濃度よりも高い状態の場合、図３に示すように、制御装置７０は、切替装置４１を第１接続状態とし、切替装置５１を第３状態とする。詳しくは、比較部７１は、濃度検出センサー６０の検出濃度と規定濃度とを比較する。そして、濃度検出センサー６０の検出濃度が規定濃度よりも高い状態の場合、制御部７３は、切替装置４１を第１接続状態とし、切替装置５１を第３状態とする。これにより、空気調和システム１の運転モードが空気質優先モードとなる。
【００５０】
空気質優先モードでは、室内機１１の吹出口２２から吹き出された空調空気と換気装置３０の給気側吹出口３４から吹き出された外気とが、天井チャンバー１０１で混ざり合う。そして、空調空気と外気とが混ざり合った空気が、天井チャンバー１０１の連通口１０２から、部屋１００内へ吹き出される。また、床下チャンバー１０５の連通口１０６から床下チャンバー１０５へ排出された部屋１００の空気の一部は、室内機１１に戻って空調空気となり、再び部屋１００へ戻る。また、床下チャンバー１０５の連通口１０６から床下チャンバー１０５へ排出された部屋１００の空気の残りの一部は、換気装置３０によって、部屋１００の外部へ排出される。空気質優先モードでは、部屋１００の下部から、つまり居住域に近い箇所から部屋１００の空気を排出する。このため、空気質優先モードは、早期に居住域の空気質を改善できる。したがって、空気質優先モードは、部屋１００の上部から部屋１００の空気を排出する省エネルギー優先モードと比べ、居住域の空気質を良好に保つことができる。換言すると、空気質優先モードは、居住域に遠い箇所から部屋１００の空気を排出する省エネルギー優先モードと比べ、居住域の空気質を良好に保つことができる。
【００５１】
一方、濃度検出センサー６０の検出濃度が規定濃度以下の状態は、部屋１００の居住域の空気質が未だ悪化していない状態である。このため、濃度検出センサー６０の検出濃度が規定濃度以下の状態の場合、図４に示すように、制御装置７０は、切替装置４１を第２接続状態とし、切替装置５１を第４状態とする。詳しくは、比較部７１は、濃度検出センサー６０の検出濃度と規定濃度とを比較する。そして、濃度検出センサー６０の検出濃度が規定濃度以下の状態の場合、制御部７３は、切替装置４１を第２接続状態とし、切替装置５１を第４状態とする。これにより、空気調和システム１の運転モードが省エネルギー優先モードとなる。
【００５２】
省エネルギー優先モードでは、室内機１１の吹出口２２から吹き出された空調空気と換気装置３０の給気側吹出口３４から吹き出された外気とが、床下チャンバー１０５で混ざり合う。そして、空調空気と外気とが混ざり合った空気が、床下チャンバー１０５の連通口１０６から、部屋１００内へ吹き出される。また、天井チャンバー１０１の連通口１０２から天井チャンバー１０１へ排出された部屋１００の空気の一部は、室内機１１に戻って空調空気となり、再び部屋１００へ戻る。また、天井チャンバー１０１の連通口１０２から天井チャンバー１０１へ排出された部屋１００の空気の残りの一部は、換気装置３０によって、部屋１００の外部へ排出される。省エネルギー優先モードでは、部屋１００の下部から、つまり居住域に近い箇所から部屋１００に空調空気を供給する。このため、空気質優先モードは、居住域に重点的に空調空気を供給できる。したがって、省エネルギー優先モードは、部屋１００の上部から部屋１００に空調空気を供給する空気質優先モードと比べ、居住域を快適に保つ際に必要な消費エネルギーを低減することができる。換言すると、省エネルギー優先モードは、居住域に遠い箇所から部屋１００に空調空気を供給する空気質優先モードと比べ、省エネルギー化することができる。
【００５３】
ここで、後述のように、上下温度差が小さい場合、空気質優先モードでの運転時間が長くなることが好ましい。また、後述のように、上下温度差が大きい場合、省エネルギー優先モードでの運転時間が長くなることが好ましい。そこで、本実施の形態に係る空気調和システム１では、上下温度差が小さい場合と上下温度差が大きい場合とで、空気質優先モードと省エネルギー優先モードとの切り替えの閾値である規定濃度の値を異ならせている。なお、上述のように、上下温度差とは、第１温度検出センサー６１の検出温度から第２温度検出センサー６２の検出温度を減算した値である。
【００５４】
詳しくは、制御装置７０の比較部７１は、上下温度差と規定温度差とを比較する。そして、上下温度差が規定温度差以下の場合、制御装置７０は、切替装置４１及び切替装置５１を次のように制御する。まず、比較部７１は、濃度検出センサー６０の検出濃度と第１規定濃度とを比較する。なお、第１規定濃度は、後述の第２規定濃度よりも小さい値である。濃度検出センサー６０の検出濃度が第１規定濃度よりも高い状態の場合、制御部７３は、切替装置４１を第１接続状態とし、切替装置５１を第３状態とする。すなわち、濃度検出センサー６０の検出濃度が第１規定濃度よりも高い状態の場合、制御部７３は、空気調和システム１の運転モードを空気質優先モードとする。また、濃度検出センサー６０の検出濃度が第１規定濃度以下の状態の場合、制御部７３は、切替装置４１を第２接続状態とし、切替装置５１を第４状態とする。すなわち、濃度検出センサー６０の検出濃度が第１規定濃度以下の状態の場合、制御部７３は、空気調和システム１の運転モードを省エネルギー優先モードとする。
【００５５】
一方、上下温度差が規定温度差よりも大きい場合、制御装置７０は、切替装置４１及び切替装置５１を次のように制御する。まず、比較部７１は、濃度検出センサー６０の検出濃度と第２規定濃度とを比較する。なお、第２規定濃度は、上述の第２規定濃度よりも大きい値である。濃度検出センサー６０の検出濃度が第２規定濃度よりも高い状態の場合、制御部７３は、切替装置４１を第１接続状態とし、切替装置５１を第３状態とする。すなわち、濃度検出センサー６０の検出濃度が第２規定濃度よりも高い状態の場合、制御部７３は、空気調和システム１の運転モードを空気質優先モードとする。また、濃度検出センサー６０の検出濃度が第２規定濃度以下の状態の場合、制御部７３は、切替装置４１を第２接続状態とし、切替装置５１を第４状態とする。すなわち、濃度検出センサー６０の検出濃度が第２規定濃度以下の状態の場合、制御部７３は、空気調和システム１の運転モードを省エネルギー優先モードとする。
【００５６】
上述のように、上下温度差が規定温度差以下の場合、第２規定濃度よりも小さい値の第１規定濃度を規定濃度として用いることにより、上下温度差が規定温度差よりも大きい場合と比べ、空気質優先モードでの運転時間を長くすることができる。また、上下温度差が規定温度差よりも大きい場合、第１規定濃度よりも大きい値の第２規定濃度を規定濃度として用いることにより、上下温度差が規定温度差以下の場合と比べ、省エネルギー優先モードでの運転時間を長くすることができる。
【００５７】
上下温度差が規定温度差以下の場合に空気質優先モードでの運転時間を長くすることにより、例えば次のような効果が得られる。
【００５８】
例えば、部屋１００内の空調負荷が低い場合、上下温度差は規定温度差以下となる。部屋１００内の空調負荷が低い場合、空気調和機１０は、停止状態、あるいは低消費エネルギーでの運転となる。すなわち、空気調和システム１は、主として換気装置３０が動作する。したがって、部屋１００内の空調負荷が低い場合、空気質優先モードでの運転時間を長くすることで、省エネルギー化の効果を確保しつつ、居住域の空気質の改善効果がさらに向上する。
【００５９】
また例えば、部屋１００内の冷房負荷が高い場合、部屋１００内の空気全体が暖かい状態となり、上下温度差は規定温度差以下となる。冷房運転の場合、部屋１００内へ吹き出される空調空気は、部屋１００内の空気よりも冷たい空気となる。このため、部屋１００内へ吹き出された空調空気は、部屋１００の下方へ流れようとする。この流れは、空気質優先モード時の部屋１００内の空気の流れと同方向の流れとなる。このため、部屋１００内の冷房負荷が高い場合、換気負荷が低減され、空気質優先モードでも、省エネルギー優先モードと比較した際の消費エネルギーの増加は少ない。したがって、部屋１００内の冷房負荷が高い場合、空気質優先モードでの運転時間を長くすることで、省エネルギー化の効果を確保しつつ、居住域の空気質の改善効果がさらに向上する。
【００６０】
また例えば、部屋１００の居住域に多くの人が存在する場合、居住域の空気の温度が上昇し、上下温度差は規定温度差以下となる。部屋１００の居住域に多くの人が存在する場合、居住域の空気質が悪化しやすい。このため、部屋１００の居住域に多くの人が存在する場合、空気質優先モードでの運転時間を長くすることで、省エネルギー化の効果を確保しつつ、居住域の空気質の改善効果がさらに向上する。
【００６１】
また、上下温度差が規定温度差よりも大きい場合に省エネルギー優先モードでの運転時間を長くすることで、例えば次のような効果が得られる。
【００６２】
上下温度差が規定温度差よりも大きい場合、部屋１００の上部空気と部屋１００の下部の空気との温度差により、部屋１００内の空気は上昇する。この流れは、省エネルギー優先モード時の部屋１００内の空気の流れと同方向の流れとなる。このため、上下温度差が規定温度差よりも大きい場合、省エネルギー優先モード時の換気負荷が低減される。また、上昇する空気の流れと共に汚染物質も上昇するため、上下温度差が規定温度差以下の場合と比べ、省エネルギー優先モード時の汚染物質の排出が促進される。また、上下温度差が規定温度差よりも大きい場合、温度成層が形成され、部屋１００の上部に汚染物質が溜まる場合もある。このような場合も、上下温度差が規定温度差以下の場合と比べ、省エネルギー優先モード時の汚染物質の排出が促進される。したがって、上下温度差が規定温度差よりも大きい場合に省エネルギー優先モードでの運転時間を長くすることで、省エネルギー化の効果がさらに向上し、居住域の空気質の改善効果もさらに向上する。
【００６３】
以下の図５及び図６に、規定温度差、第１規定濃度及び第２規定濃度の一例を紹介する。
【００６４】
図５は、本発明の実施の形態に係る空気調和システムの規定温度差、第１規定濃度及び第２規定濃度の一例を示す図である。また、図６は、本発明の実施の形態に係る空気調和システムに図５で示す規定温度差、第１規定濃度及び第２規定濃度を採用した場合の、部屋の環境と運転モードとの関係を説明する図である。
【００６５】
図５に示す例では、規定温度差を３［℃］としている。厚生労働省により、シックハウス症候群対策として、室内の二酸化炭素濃度を１０００［ｐｐｍ］以下にすることが規定されている。そこで、図５に示す例では、第２規定濃度を１０００［ｐｐｍ］としている。また、図５に示す例では、以下のような観点から、第１規定濃度を７００［ｐｐｍ］としている。まず、外気の二酸化炭素濃度を４２０［ｐｐｍ］と想定した。そして、上下温度差が規定温度差以下の状態では、部屋１００内に外気が約５０［％］以上導入された状態を確保することを想定した。そして、二酸化炭素濃度が１０００［ｐｐｍ］となっていた部屋１００内に約５０［％］の外気が導入された状態を想定し、第１規定濃度を７００［ｐｐｍ］とした。
【００６６】
上記のように規定温度差、第１規定濃度及び第２規定濃度を規定した場合、部屋１００の環境に応じて、空気調和システム１の運転モードは、図６のようになる。すなわち、図６に環境Ａとして示すように、上下温度差が３［℃］以下で、二酸化炭素濃度が７００［ｐｐｍ］よりも大きい状態に部屋１００がなっている場合、空気調和システム１の運転モードは空気質優先モードとなる。また、図６に環境Ｂとして示すように、上下温度差が３［℃］以下で、二酸化炭素濃度が７００［ｐｐｍ］以下の状態に部屋１００がなっている場合、空気調和システム１の運転モードは省エネルギー優先モードとなる。また、図６に環境Ｃとして示すように、上下温度差が３［℃］よりも大きく、二酸化炭素濃度が１０００［ｐｐｍ］よりも大きい状態に部屋１００がなっている場合、空気調和システム１の運転モードは空気質優先モードとなる。また、図６に環境Ｄとして示すように、上下温度差が３［℃］よりも大きく、二酸化炭素濃度が１０００［ｐｐｍ］以下の状態に部屋１００がなっている場合、空気調和システム１の運転モードは省エネルギー優先モードとなる。
【００６７】
上述のように上下温度差に応じて規定濃度を変更する制御は、例えば以下のような制御フローで行われる。
【００６８】
図７は、本発明の実施の形態に係る空気調和システムの制御フローの一例を示すフローチャート図である。
ステップＳ１にて空気調和システム１の運転が開始されると、ステップＳ２にて空気調和システム１の制御装置７０の比較部７１は、濃度検出センサー６０、第１温度検出センサー６１及び第２温度検出センサー６２を用いて、部屋１００の環境情報を検出する。具体的には、比較部７１は、濃度検出センサー６０で部屋１００の空気中の二酸化炭素の濃度を検出し、第１温度検出センサー６１及び第２温度検出センサー６２で部屋１００の空気の温度を検出する。
【００６９】
ステップＳ３では、比較部７１は、第１温度検出センサー６１の検出温度から第２温度検出センサー６２の検出温度を減算し、上下温度差を算出する。そして、ステップＳ３において比較部７１は、上下温度差と規定温度差とを比較する。上下温度差が規定温度差よりも大きい場合、比較部７１は、ステップＳ４に進む。一方、上下温度差が規定温度差以下の場合、比較部７１は、ステップＳ５に進む。
【００７０】
ステップＳ４において比較部７１は、濃度検出センサー６０が検出した二酸化炭素濃度と第２規定濃度とを比較する。二酸化炭素濃度が第２規定濃度以下の場合、ステップＳ６において制御部７３は、切替装置４１を第２接続状態とし、切替装置５１を第４状態として、空気調和システム１の運転モードを省エネルギー優先モードとする。また、二酸化炭素濃度が第２規定濃度よりも高い場合、ステップＳ７において制御装置７０の制御部７３は、切替装置４１を第１接続状態とし、切替装置５１を第３状態として、空気調和システム１の運転モードを空気質優先モードとする。
【００７１】
一方、ステップＳ５に進んだ場合、比較部７１は、濃度検出センサー６０が検出した二酸化炭素濃度と第１規定濃度とを比較する。二酸化炭素濃度が第１規定濃度以下の場合、ステップＳ６において制御部７３は、切替装置４１を第２接続状態とし、切替装置５１を第４状態として、空気調和システム１の運転モードを省エネルギー優先モードとする。また、二酸化炭素濃度が第１規定濃度よりも高い場合、ステップＳ７において制御部７３は、切替装置４１を第１接続状態とし、切替装置５１を第３状態として、空気調和システム１の運転モードを空気質優先モードとする。
【００７２】
ステップＳ６及びステップＳ７の後、ステップＳ８において制御装置７０は、例えば図示せぬリモートコントローラー等から空気調和システム１の運転を終了する指令が入力されているか否かを判定する。運転を終了する指令が入力されている場合、ステップＳ９において制御装置７０は、空気調和システム１の運転を終了する。運転を終了する指令が入力されていない場合、制御装置７０は、ステップＳ２に戻る。
【００７３】
なお、本実施の形態で説明した空気調和システム１は、あくまでも一例である。例えば、本実施の形態では、空気中の汚染物質として二酸化炭素を検出した。換言すると、濃度検出センサー６０として、空気中の二酸化炭素の濃度を検出するセンサーを用いた。しかしながら、濃度検出センサー６０は、空気中の汚染物質の濃度を検出できるセンサーであればよく、空気中の二酸化炭素の濃度を検出するセンサーに限定されない。
【００７４】
汚染物質は、種々の発生源から発生する。汚染物質の発生源としては、例えば、合板、接着剤、塗料、防蟻剤等の建築材料がある。また例えば、汚染物質の発生源としては、洗浄剤、防虫剤、芳香剤等の家庭用品がある。また例えば、汚染物質の発生源としては、開放燃焼型暖房器具、調理器具、空気調和機等、建物に設置された機器類がある。また例えば、喫煙によっても汚染物質が発生する。また例えば、人を含む動物の代謝物も汚染物質となり得る。すなわち、空気中の汚染物質としては、例えば、ウィルス、微生物、カビ、虫、花粉、人間を含む動物のふけ、揮発性有機化合物（Ｖｏｌａｔｉｌｅ  Ｏｒｇａｎｉｃ  Ｃｏｍｐｏｕｎｄｓ）、多環芳香族炭化水素（Ｐｏｌｙｃｙｃｌｉｃ  Ａｒｏｍａｔｉｃ  Ｈｙｄｒｏｃａｒｂｏｎｓ）、  アスベスト、一酸化炭素、及び二酸化窒素等がある。濃度検出センサー６０は、例えば、これらの汚染物質のうちの少なくとも一つの空気中の濃度を検出できるものであればよい。
【００７５】
また例えば、本実施の形態に係る空気調和システム１は、換気装置３０を備えている。しかしながら、濃度検出センサー６０の検出する汚染物質が空気調和機１０のフィルター２０で捕捉できる物質である場合、空気調和システム１に換気装置３０及び切替装置５１を設ける必要はない。
【００７６】
また例えば、本実施の形態に係る空気調和システム１は、上下温度差に応じて規定濃度を変更した。しかしながら、上下温度差に応じて規定濃度を変更しなくとも、空気調和システム１は、省エネルギー性の向上と部屋の空気質を良好に保つことの両立を図ることができる。この場合、第１温度検出センサー６１及び第２温度検出センサー６２は、必要ない。また、この場合、空気調和システム１の制御フローは、例えば図８で示すようになる。
【００７７】
図８は、本発明の実施の形態に係る空気調和システムの制御フローの別の一例を示すフローチャート図である。
ステップＳ１１において空気調和システム１の運転が開始されると、ステップＳ１２において空気調和システム１の制御装置７０の比較部７１は、濃度検出センサー６０を用いて、部屋１００の環境情報を検出する。具体的には、比較部７１は、濃度検出センサー６０で部屋１００の空気中の二酸化炭素の濃度を検出する。
【００７８】
ステップＳ１３では、比較部７１は、濃度検出センサー６０が検出した二酸化炭素濃度と規定濃度とを比較する。二酸化炭素濃度が規定濃度以下の場合、ステップＳ１４において制御部７３は、切替装置４１を第２接続状態とし、切替装置５１を第４状態として、空気調和システム１の運転モードを省エネルギー優先モードとする。また、二酸化炭素濃度が規定濃度よりも高い場合、ステップＳ１５において制御装置７０の制御部７３は、切替装置４１を第１接続状態とし、切替装置５１を第３状態として、空気調和システム１の運転モードを空気質優先モードとする。
【００７９】
ステップＳ１４及びステップＳ１５の後、ステップＳ１６において制御装置７０は、例えば図示せぬリモートコントローラー等から空気調和システム１の運転を終了する指令が入力されているか否かを判定する。運転を終了する指令が入力されている場合、ステップＳ１７において制御装置７０は、空気調和システム１の運転を終了する。運転を終了する指令が入力されていない場合、制御装置７０は、ステップＳ１２に戻る。
【００８０】
以上、本実施の形態に係る空気調和システム１は、天井に設けられた天井チャンバー１０１及び床下に設けられた床下チャンバー１０５と連通する部屋１００を空気調和する空気調和システムである。空気調和システム１は、空気調和機１０と、切替装置４１と、制御装置７０と、濃度検出センサー６０と、を備えている。空気調和機１０は、吸込口２１、吸込口２１から吸い込まれた空気が通過するフィルター２０、及びフィルター２０を通過した空気が吹き出される吹出口２２を有する。切替装置４１は、第１接続状態又は第２接続状態となる。第１接続状態とは、吹出口２２と天井チャンバー１０１とが接続され、吸込口２１と床下チャンバー１０５とが接続される状態である。第２接続状態とは、吸込口２１と天井チャンバー１０１とが接続され、吹出口２２と床下チャンバー１０５とが接続される状態である。制御装置７０は、切替装置４１を第１接続状態又は第２接続状態に切り替える制御装置である。濃度検出センサー６０は、部屋１００の空気中の汚染物質の濃度を検出するセンサーである。そして、制御装置７０は、濃度検出センサー６０の検出濃度が規定濃度よりも高い状態では、切替装置４１を第１接続状態とし、濃度検出センサー６０の検出濃度が規定濃度以下の状態では、切替装置４１を第２接続状態とする構成となっている。
【００８１】
本実施の形態に係る空気調和システム１は、濃度検出センサー６０の検出濃度が規定濃度よりも高い状態では、天井チャンバー１０１から部屋１００内へ空調空気を吹き出し、床下チャンバー１０５から部屋１００の空気を排出することとなる。このため、本実施の形態に係る空気調和システム１は、居住域の空気質を良好に保つことができる。また、本実施の形態に係る空気調和システム１は、濃度検出センサー６０の検出濃度が規定濃度以下の状態では、床下チャンバー１０５から部屋１００内へ空調空気を吹き出し、天井チャンバー１０１から部屋１００の空気を排出することとなる。このため、本実施の形態に係る空気調和システム１は、省エネルギー性を向上することもできる。
【符号の説明】
【００８２】
１  空気調和システム、１０  空気調和機、１１  室内機、１２  室外機、１３  圧縮機、１４  室内熱交換器、１５  膨張装置、１６  室外熱交換器、１７  流路切替装置、１８  室内ファン、１９  室外ファン、２０  フィルター、２１  吸込口、２２  吹出口、３０  換気装置、３１  給気室、３２  排気室、３３  給気側吸入口、３４  給気側吹出口、３５  排気側吸入口、３６  排気側吹出口、３７  給気ファン、３８  排気ファン、４１  切替装置、４２  配管、４３  配管、４４  配管、４５  配管、５１  切替装置、５２  配管、５３  配管、５４  配管、５５  配管、６０  濃度検出センサー、６１  第１温度検出センサー、６２  第２温度検出センサー、７０  制御装置、７１  比較部、７２  記憶部、７３  制御部、１００  部屋、１０１  天井チャンバー、１０２  連通口、１０３  天面、１０５  床下チャンバー、１０６  連通口、１０７  床面。
【図１】
2019128084.tif 000003
【図２】
2019128084.tif 000004
【図３】
2019128084.tif 000005
【図４】
2019128084.tif 000006
【図５】
2019128084.tif 000007
【図６】
2019128084.tif 000008
【図７】
2019128084.tif 000009
【図８】
2019128084.tif 000010